(57)【要約】【課題】テスター商品への着脱が容易で、しかも陳列時の見栄えを損なうことがなく、安価に提供することのできるテスター盗難防止部材と、それを用いたテスター陳列構造を提供する。【解決手段】レフィルとレフィルホルダとを備えた化粧料テスターの盗難防止に用いられる部材であって、上記レフィルホルダの凹部内の底面を横切るよう設定された底面部２１と、上記底面部２１の相対する端縁から折り目を介してそれぞれ延設され上記レフィルホルダの凹部内壁面に沿って立ち上がるよう設定された延長部２２、２３とを備え、上記延長部２２、２３の少なくとも一方に、テスター固定用の紐状体の一端を取り付けるための穴２５が形成されている。【選択図】図１
2010115247.tif 000002
【特許請求の範囲】
【請求項１】
テスター用化粧料が収容されたレフィルと、上記レフィルを直接もしくは他の部材を介して嵌合保持するための凹部が形成されたレフィルホルダとを備えた化粧料テスターの盗難防止に用いられる部材であって、上記レフィルホルダの凹部内の底面を横切るよう設定された底面部と、上記底面部の相対する端縁から折り目を介してそれぞれ延設され上記レフィルホルダの凹部内壁面に沿って立ち上がるよう設定された延長部とを備え、上記延長部の少なくとも一方に、テスター固定用の紐状体の一端を取り付けるための取付部が形成されていることを特徴とするテスター盗難防止部材。
【請求項２】
上記紐状体の一端を取り付けるための取付部が、穴である請求項１記載のテスター盗難防止部材。
【請求項３】
テスター用化粧料が収容されたレフィルと、上記レフィルを直接もしくは他の部材を介して嵌合保持するための凹部が形成されたレフィルホルダとを備えた化粧料テスターの盗難防止に用いられる部材であって、上記レフィルホルダの凹部内の底面を横切るよう設定された底面部と、上記底面部の相対する端縁から折り目を介してそれぞれ延設され上記レフィルホルダの凹部内壁面に沿って立ち上がるよう設定された延長部とを備え、上記延長部の少なくとも一方の先端からさらに、テスター固定用の紐状体が一体的に形成されていることを特徴とするテスター盗難防止部材。
【請求項４】
請求項１記載のテスター盗難防止部材を用いた化粧料テスターの陳列構造であって、上記レフィルホルダのレフィル嵌合用の凹部内に、上記テスター盗難防止部材を、その底面部の両端縁から延長部を折り立て、かつ上記延長部の取付部にテスター固定用の紐状体の一端を取り付け他端側を凹部開口から外側に垂らした状態で嵌入し、さらにその上からレフィルを直接もしくは他の部材を介して嵌入してなる化粧料テスターが、所定の陳列棚もしくは陳列台に陳列されており、上記陳列棚もしくは陳列台に、上記テスター固定用の紐状体の他端が固定されていることを特徴とするテスター陳列構造。
【請求項５】
請求項３記載のテスター盗難防止部材を用いた化粧料テスターの陳列構造であって、上記レフィルホルダのレフィル嵌合用の凹部内に、上記テスター盗難防止部材を、その底面部の両端縁から延長部を折り立て、かつその凹部開口から上記延長部先端から延びるテスター固定用の紐状体を突出させた状態で嵌入し、さらにその上からレフィルを直接もしくは他の部材を介して嵌入してなる化粧料テスターが、所定の陳列棚もしくは陳列台に陳列されており、上記陳列棚もしくは陳列台に、上記テスター固定用の紐状体の他端が固定されていることを特徴とするテスター陳列構造。
【発明の詳細な説明】
【技術分野】
【０００１】
本発明は、テスター用化粧料が収容されたテスターの盗難防止部材およびそれを用いたテスター陳列構造に関するものである。
【背景技術】
【０００２】
従来から、口紅、ファンデーション等の各種の化粧料は、店頭で実際に顧客が自分の唇や肌に塗ってその感触や色調を試してみてから購入することが多いため、完全に包装された商品とは別に、いわゆるテスター用化粧料を用意して店頭に陳列することがよく行われている。
【０００３】
例えば、口紅テスターを陳列する場合の一例を図８に示す。この口紅テスター１は、口紅を模した樹脂製の色見本２と、これを一体的に保持する四角筒状のホルダ３とを備え、上記ホルダ３の内側に、実際の商品と同じ口紅化粧料を収容した繰り出し筒（レフィル）４が、着脱自在に嵌入された構成になっている。そして、陳列台５の上面に並ぶ嵌合用穴６に、上記繰り出し筒４を差し込むことにより、色の異なる口紅テスター１を多数本、列状に陳列することができるようになっている。したがって、顧客は、上記陳列台５に並ぶ口紅テスター１のうち、好みの色のものを手にとって、実際の使用感を試すことができる。
【０００４】
ところが、上記口紅テスター１等のテスター用化粧料は、商品と実質的に同じものであるため、人気のあるものが店頭等から持ち帰られてしまうという問題が発生していた。
【０００５】
このようなトラブルを防止するために、口紅テスター１と陳列台５とを、紐で１個ずつ結んだりテープで止めて固定する等の対抗策を講じている店舗もあるが、口紅テスター１を試供するには、これを手許に取り出さなければならないため、再びこれを元に戻す際、紐が手前にはみ出して陳列の見栄えが悪くなるという問題がある。また、はみ出した紐が他の口紅テスター１の紐と絡まって、スムーズに抜き出すことができなかったり、複数の口紅テスター１が同時に抜けて落下する等のトラブルが生じやすい。さらに、いちいち紐を結んだりテープで止めたりする作業が煩雑であるという問題もある。
【０００６】
そこで、商品監視装置（商品やテスターの側面にＩＣタグを取り付け、店舗の入口等にゲートを立ててこれを監視するもの）を設けたり、店舗内に設置したミラーや防犯カメラで監視することも行われている。また、図９に示すように、タグ１１と、このタグ１１に接続される制御手段１２と、この制御手段１２に接続される警報ブザー１３とを備えた盗難防止装置を用い、商品１４にタグ１１を貼り付けた状態で陳列し、陳列中にタグ１１が商品から剥がされると、制御手段１２が作動して警報ブザー１３が鳴るようにすることも提案されている（例えば、特許文献１参照）。
【特許文献１】特開平７−１２１７７９号公報
【発明の開示】
【発明が解決しようとする課題】
【０００７】
しかしながら、商品監視装置を用いる場合には、その装置が高価なだけでなく、ＩＣタグが商品の側面に取り付けられているため、見た目が悪く、しかもＩＣタグの取り付けに手間がかかるという問題がある。また、ミラーや防犯カメラで監視する場合には、その店舗は盗難が多い店舗であると消費者に感じさせたり、監視されているようなイメージを消費者に与えるため、消費者の購買意欲が減少する。一方、図９に示すような盗難防止装置も、タグ１１の取り付けに手間がかかり、また見栄えが悪いという問題がある。そして、装置が高価であるうえ、制御手段１２等の設置スペースが必要になるという問題もある。
【０００８】
本発明は、このような事情に鑑みなされたもので、テスター商品への着脱が容易で、しかも陳列時の見栄えを損なうことがなく、安価に提供することのできるテスター盗難防止部材と、それを用いたテスター陳列構造の提供をその目的とする。
【課題を解決するための手段】
【０００９】
上記の目的を達成するため、本発明は、テスター用化粧料が収容されたレフィルと、上記レフィルを直接もしくは他の部材を介して嵌合保持するための凹部が形成されたレフィルホルダとを備えた化粧料テスターの盗難防止に用いられる部材であって、上記レフィルホルダの凹部内の底面を横切るよう設定された底面部と、上記底面部の相対する端縁から折り目を介してそれぞれ延設され上記レフィルホルダの凹部内壁面に沿って立ち上がるよう設定された延長部とを備え、上記延長部の少なくとも一方に、テスター固定用の紐状体の一端を取り付けるための取付部が形成されているテスター盗難防止部材を第１の要旨とする。
【００１０】
また、本発明は、そのなかでも、特に、上記紐状体の一端を取り付けるための取付部が、穴であるテスター盗難防止部材を第２の要旨とする。
【００１１】
さらに、本発明は、テスター用化粧料が収容されたレフィルと、上記レフィルを直接もしくは他の部材を介して嵌合保持するための凹部が形成されたレフィルホルダとを備えた化粧料テスターの盗難防止に用いられる部材であって、上記レフィルホルダの凹部内の底面を横切るよう設定された底面部と、上記底面部の相対する端縁から折り目を介してそれぞれ延設され上記レフィルホルダの凹部内壁面に沿って立ち上がるよう設定された延長部とを備え、上記延長部の少なくとも一方の先端からさらに、テスター固定用の紐状体が一体的に形成されているテスター盗難防止部材を第３の要旨とする。
【００１２】
そして、本発明は、上記第１の要旨であるテスター盗難防止部材を用いた化粧料テスターの陳列構造であって、上記レフィルホルダのレフィル嵌合用の凹部内に、上記テスター盗難防止部材を、その底面部の両端縁から延長部を折り立て、かつ上記延長部の取付部にテスター固定用の紐状体の一端を取り付け他端側を凹部開口から外側に垂らした状態で嵌入し、さらにその上からレフィルを直接もしくは他の部材を介して嵌入してなる化粧料テスターが、所定の陳列棚もしくは陳列台に陳列されており、上記陳列棚もしくは陳列台に、上記テスター固定用の紐状体の他端が固定されているテスター陳列構造を第４の要旨とする。
【００１３】
また、本発明は、上記第３の要旨であるテスター盗難防止部材を用いた化粧料テスターの陳列構造であって、上記レフィルホルダのレフィル嵌合用の凹部内に、上記テスター盗難防止部材を、その底面部の両端縁から延長部を折り立て、かつその凹部開口から上記延長部先端から延びるテスター固定用の紐状体を突出させた状態で嵌入し、さらにその上からレフィルを直接もしくは他の部材を介して嵌入してなる化粧料テスターが、所定の陳列棚もしくは陳列台に陳列されており、上記陳列棚もしくは陳列台に、上記テスター固定用の紐状体の他端が固定されているテスター陳列構造を第５の要旨とする。
【発明の効果】
【００１４】
すなわち、本発明のテスター盗難防止部材は、レフィルホルダの凹部の底面を横切るよう設定された底面部と、同じくその内壁面に沿って立ち上がるよう設定された延長部とが一続きで形成され、その少なくとも一方に紐状体を取り付けるようになっているか、その先端から直接紐状体が延設されているという、非常に簡単な構成になっており、これを安価に提供することができるという利点を有する。
【００１５】
そして、このものを使用する場合は、上記レフィルホルダの凹部内に、この盗難防止部材を挿入し、その上からレフィルを直接もしくは他の部材を介して嵌入するだけで、簡単に取り付けることができ、その延長部から延びる紐状体を陳列台等に固定するだけで、簡単にレフィルを陳列台等に固定して、盗難防止効果を得ることができる。また、この構造を維持したまま、レフィルだけ新しいものに交換することができ、交換作業にも手間を要しない。また、この盗難防止部材が不用である、と判断した場合には、これをレフィルホルダから抜き取るだけで簡単に外すことができ、レフィルホルダにかけた紐の結び目を解いたりテープを剥がしたりしなくてもよいため、繰り返し使用することのできるレフィルホルダを傷つけたり汚したりすることがない。
【００１６】
さらに、このものは、レフィルホルダとレフィルの間に挟持されるようになっており、その状態では外側から見えないため、陳列の外観を損なうことがなく、見栄えがよい。また、この部材のために余分なスペースを必要とせず、従来の陳列構造と陳列スペースをそのまま用いることができるため、余分なコストがかからないという利点も有する。
【００１７】
また、本発明において、特に、上記取付部が、穴であるものは、シート状体の輪郭を打ち抜く際、同時にこの穴を打ち抜くことができ、より安価で使い勝手のよい盗難防止部材を得ることができる。
【００１８】
さらに、本発明のテスター陳列構造によれば、外観を損なうことなく、陳列された各テスターの盗難防止を図ることができる。そして、その盗難防止部材の着脱が簡単であるため、テスターの陳列作業や配置替え作業等を効率よく行うことができる。
【発明を実施するための最良の形態】
【００１９】
つぎに、本発明を実施するための最良の形態について説明する。ただし、本発明は、この実施の形態に限られるものではない。
【００２０】
図１は、本発明のテスター盗難防止部材の一実施の形態を示している。この盗難防止部材２０は、図２に示すような、レフィルホルダ３０とレフィル３１とで構成される口紅テスター３２の盗難防止に用いられるもので、厚み０．３ｍｍの透明ポリエステルシートからなり、上記レフィルホルダ３０の、レフィル保持用の凹部内の底面を横切るよう設定された底面部２１〔図１（ａ）に戻る〕と、その相対する端縁から折り目Ｐ、Ｑを介してそれぞれ延設される延長部２２、２３とを備えている。ただし、上記底面部２１は、後述するように、レフィルホルダ３０の凹部内形状に合わせて、両側の延長部２２、２３に比べて細幅に設定されており、その両端に、補強用のテーパ部２１ａが形成されている。
【００２１】
また、上記延長部２２、２３には、テスター固定用の紐状体２４〔図１（ｂ）参照〕の一端を取り付けるための穴２５がそれぞれ形成されている。この穴２５は、全体形状を打ち抜き成型する際に、同時に形成されたものである。なお、上記穴２５は片方にあれば足りるが、どちら側に紐状体２４を取り付けてもよいように、両方に形成している。
【００２２】
上記盗難防止部材２０は、例えばつぎのようにして用いることができる。すなわち、まず、図１（ｂ）に示すように、上記延長部２２の穴２５に、適宜の長さの紐状体（例えば直径０．５ｍｍのナイロン製紐）の一端側を結びつけた後、太矢印Ｘで示すように、左右の延長部２２、２３を下方に折り返す。これによって、盗難防止部材２０を、レフィルホルダ３０（図２参照）の凹部内にすっぽり入るコ字状にすることができる。
【００２３】
そこで、図２（ａ）に示すように、口紅テスター３２の正面（陳列面）の反対側に、上記盗難防止部材２０の、紐状体２４を取り付けた方の延長部２２が位置するように配置し、その状態で、盗難防止部材２０をレフィルホルダ３０の凹部内に嵌入する。これによって、図２（ｂ）に破線で示すように、盗難防止部材２０の底面部２１が、レフィルホルダ３０の凹部内の底面を横切り、その両側の延長部２２、２３が、凹部内壁面に沿って立ち上がる（図では下向き）配置で保持される。
【００２４】
そして、上記盗難防止部材２０が取り付けられた凹部内に、さらにレフィル３１を嵌入し、両者の嵌合部で盗難防止部材２０を挟持することにより、盗難防止部材２０を口紅テスター３２から外れないよう固定することができる。
【００２５】
このようにして盗難防止部材２０が固定された口紅テスター３２を、所定の陳列台（例えば図８の陳列台５等）に並べて陳列し、その際、各口紅テスター３２から延びる紐状体２４の先端を、陳列台の奥側にテープで貼ったり結びつけたりして固定する。これにより、陳列された各口紅テスター３２は、勝手に外して持ち去ることができないようになる。なお、図２において、３３は口紅テスター３２内に収容されているテスター化粧料の色を示す樹脂製の色見本で、上記レフィルホルダ３０の上面に嵌合固定されている。また、レフィル３１内には、テスターである口紅化粧料が繰り出し自在に保持されている。
【００２６】
上記盗難防止部材２０によれば、上記レフィルホルダ３０の凹部内に、この盗難防止部材２０を挿入し、その上からレフィル３１を嵌入するだけで、簡単に取り付けることができ、その延長部２２から延びる紐状体２４を陳列台等に固定するだけで、簡単にレフィル３１を陳列台等に固定して、盗難防止効果を得ることができる。また、この構造を維持したまま、レフィル３１だけ新しいものに交換することができ、交換作業にも手間を要しない。また、この盗難防止部材２０が不用である、と判断した場合には、これをレフィルホルダ３０から抜き取るだけで簡単に外すことができ、従来のように、レフィルホルダ３０にかけた紐の結び目を解いたりテープを剥がしたりしなくてもよいため、長期にわたって繰り返し使用されるレフィルホルダ３０を、傷つけたり汚したりすることがない。
【００２７】
そして、この盗難防止部材２０は、レフィルホルダ３０とレフィル３１の間に挟持されるようになっており、その状態では外から見えないため、陳列の外観を損なうことがなく、見栄えがよい。また、この盗難防止部材２０を設置するための余分なスペースを必要とせず、従来の陳列構造と陳列スペースをそのまま用いることができるため、余分なコストがかからないという利点も有する。
【００２８】
さらに、盗難防止部材２０自身が、全体が一枚のプラスチックシートで形成され、その片方に紐状体を取り付けるようになっているという、非常に簡単な構成であるため、これを安価に提供することができるという利点を有する。
【００２９】
なお、上記口紅テスター３２のレフィルホルダ３０とレフィル３１との嵌合構造は、統一されておらず、さまざまなタイプがあるが、本発明の盗難防止部材２０は、レフィルホルダ３０の凹部形状がどのようなものであっても、その凹部底面を横切るよう設定された底面部２１と、その底面部２１の相対する端縁から折り目Ｐ、Ｑを介してそれぞれ延設される延長部２２、２３とを備えていればよく、上記底面部２１は、凹部底面に必ずしも当接している必要はない。また、両側の延長部２２、２３も、凹部内壁面に沿って立ち上がるよう設定されていれば、必ずしも内壁面に当接している必要はない。そして、その幅や形状も、上記の例に限らず、レフィルホルダ３０とレフィル３１との間に挟持させるよう適宜変化させることができる。
【００３０】
また、口紅テスター３２には、レフィルホルダ３０内に、円柱状のレフィル３１を直接嵌入する構造のものと、レフィルホルダ３０にまずガイドホルダを嵌合し、そのガイドホルダの凹部内にレフィル３１を嵌合する２重構造のものがあるが、本発明の盗難防止部材は、どちらのタイプにも用いることができる。ただし、上記ガイドホルダを用いた２重構造のものに適用する場合は、まずレフィルホルダ３０内に本発明の盗難防止部材を嵌入し、その上からガイドホルダを嵌入して盗難防止部材を挟み込んだ後、そのガイドホルダの凹部内にレフィル３１を嵌入するようにする。
【００３１】
ちなみに、上記の例の口紅テスター３２は、レフィルホルダ３０内にレフィル３１を直接嵌入する構造になっており、このレフィルホルダ３０内に盗難防止部材２０を嵌入した状態を、その縦断面図である図３（ａ）に示す。また、図３（ｂ）は、上記図３（ａ）のＡ−Ａ′断面図（色見本３３の図示を省略）であり、図３（ｃ）は、そのＢ矢視図である。これらの図に示すように、このレフィルホルダ３０の凹部４０内には、レフィル３１（外形を鎖線で示し全体に間隔の広い斜線を入れて示す）の、リング状に形成された根元部３１ａと係合させるための一対の突出片４１が設けられている。そして、この盗難防止部材２０は、上記一対の突出片４１の間に入り込むことができるように、その底面部２１が延長部２２、２３に比して細幅に形成されている。よって、突出片４１により、延長部２２、２３の移動が制限され、盗難防止部材の抜け落ちが効果的に防止できる。また、盗難防止部材２０の延長部２２、２３は、レフィルホルダ３０の凹部４０内に設けられた４本の放射状リブ４３の間に入り込んだ状態で、凹部４０の内壁面に沿うようになっている。なお、この口紅テスター３２の色見本３３は、色を示す樹脂成形体３３ａと、これを保護する透明の樹脂成形体３３ｂとで構成されている。
【００３２】
なお、もし上記盗難防止部材２０を、レフィルホルダ３０に対し、９０°角度を誤って嵌入しても、上記底面部２１が細幅に形成されているため、この部分が、上記突出片４１の形状に沿って曲がり、レフィル３１との嵌入に支障をきたすことなく、その間に挟持されるようになっている。
【００３３】
一方、本発明の盗難防止部材を、ガイドホルダを用いた２重構造の口紅テスター３２′に適用した一例を、図４に示す。この口紅テスター３２′は、色見本３３′を備えたレフィルホルダ５０と、その内側に嵌入されるガイドホルダ５１と、レフィル５２とで構成されている。そして、上記レフィルホルダ５０とガイドホルダ５１との間に、本発明の盗難防止部材２０′が挟み込まれるようになっている。なお、上記色見本３３′も、前記の例と同様、色を示す樹脂成形体３３ａ′と、これを保護する透明の樹脂成形体３３ｂ′とで構成されている。
【００３４】
より詳しく説明すると、上記レフィルホルダ５０の凹部内には、その縦断面図である図５（ａ）、およびそのＣ−Ｃ′断面図である図５（ｂ）に示すように、ガイドホルダ５１を嵌合保持するためのリブ５３が、その四角筒の各面に、所定間隔で２本一組で設けられている。したがって、盗難防止部材２０′の底面部２１′、延長部２２′、２３′の幅を、上記凹部内の、相対する２面のリブ５３の間に入り込む幅に設定しておけば、この帯状の盗難防止部材２０′に紐状体２４を取り付けて、図４に示すように、コ字状に折り曲げて上記凹部内に嵌入し、図５（ａ）および図５（ｂ）に示すように、その内面の、互いに向かい合う２面の各２本のリブ５３間に入り込ませることにより、これを安定的に保持させることができる。なお、上記盗難防止部材２０′の他の構成は、前記盗難防止部材２０と同様であり、同一部分に同一番号を付して、その説明を省略する。
【００３５】
そして、上記盗難防止部材２０′が嵌入されたレフィルホルダ５０内に、図６（ａ）およびその底面図である図６（ｂ）に示すように、ガイドホルダ５１を嵌入することにより、上記盗難防止部材２０′を２つのホルダ５０、５１間に挟み込んで固定することができる。そして、さらにこのガイドホルダ５１内に、レフィル５２を嵌入し、上記盗難防止部材２０′から外側に延びる紐状体２４の先端を、陳列台等に固定することにより、この口紅テスター３２′を陳列台等に固定し、盗難防止機能をもたせることができる。なお、５４は、ガイドホルダ５１内に設けられるレフィル５２嵌合用のリブであり、５５は、ガイドホルダ５１の外周下部に設けられる嵌合用のガイドである。
【００３６】
なお、上記ガイドホルダ５１の下端部の、相対する２個所に突出部５６が設けられており、この突出部５６が、レフィルホルダ５０の下端部に設けられた切欠き部５７から側方にはみ出した状態で両者が嵌合されるようになっている。これは、ガイドホルダ５１をレフィルホルダ５０に着脱する際、ガイドホルダ５１のこの部分をつまんで行うと、動作をスムーズに行うことができることを考慮したものである。したがって、この構成においては、上記盗難防止部材２０′の取り付け方向を、上記レフィルホルダ５０の切欠き部５７が形成されてない方の相対する２面にまたがる方向にしておけば、レフィルホルダ５０の内側から延びる紐状体２４が、上記ガイドホルダ５１の出し入れの邪魔にならず、好適である。
【００３７】
また、これらの例は、本発明の盗難防止部材を、棒状の口紅をレフィル３１、５２から繰り出して用いる口紅テスター３２、３２′の盗難防止に適用した例であるが、本発明の盗難防止部材は、レフィルとレフィルホルダとを嵌合によって直接、もしくは上記ガイドホルダ５１に相当する中間部材を介して、嵌合保持するよう構成された各種のテスターに適用することができる。
【００３８】
例えば、図７は、本発明の盗難防止部材を、浅皿状テスターの盗難防止に適用した例を示している。すなわち、このテスターは、ファンデーションやリップカラー、アイカラー等のメイクアップ化粧料６０ａが充填された浅皿状のレフィル６０を、蓋付のレフィルホルダ６１に嵌入保持させた構成になっている。このレフィルホルダ６１とレフィル６０の嵌合部に、レフィルホルダ６１の底面を横切る底面部６３と一対の延長部６４、６５と、紐状体２４取り付け用の穴２５を備えた盗難防止部材６６を挟持させることによって、前記口紅テスター３２、３２′と同様の効果を得ることができる。
【００３９】
さらに、上記の各例では、盗難防止部材２０、２０′等に、紐状体２４取り付け用の穴２５を設け、これに紐状体２４を取り付けて用いるようになっているが、例えば、図１０に示すように、盗難防止部材２０″の片方の延長部２２の先端から、紐状体２４に相当する帯状部分７０を延設し、これを紐状体として、テスターと陳列台等との固定に用いるようにしてもよい。そして、その先端に、係合用の穴７１を形成しておけば、この穴７１を利用して、陳列台等の適宜の部位に係合させることができ、好適である。このようにすると、上記の各例のように、穴２５に紐状体２４を挿通して結ぶ作業が不要となり、より効率よく作業を進めることができる。
【００４０】
なお、これらの例において、盗難防止部材２０、２０′等の材質は、上記の例のように、透明ポリエステルシートに限らず、折り曲げ可能な可撓性があれば、どのような材質であっても差し支えないが、なかでも、厚み０．１〜１．０ｍｍ、特に０．３〜０．５ｍｍの可撓性樹脂シートを用いることが好適である。すなわち、厚みが薄すぎると、コ字状に折り曲げた形状を保ちながらレフィルホルダ３０等の凹部内に嵌入する作業がしにくくなるおそれがあり、１．０ｍｍを超えると、レフィルホルダ３０等とレフィル３１等との嵌合が窮屈になり、従来のデザインのまま両者の間に挟持させることが困難となるおそれがあるからである。
【００４１】
また、上記盗難防止部材２０等の色は、陳列時に目立たなくする目的で、透明のものを用いたが、必ずしも透明である必要はなく、陳列台の色やテスターのレフィルホルダ３０、レフィル３１等の色に合わせて着色したシートを用いてもよい。
【図面の簡単な説明】
【００４２】
【図１】（ａ）は本発明の一実施の形態を示す斜視図、（ｂ）はその使用状態の説明図である。
【図２】（ａ）、（ｂ）は、ともに上記実施の形態の使用状態の説明図である。
【図３】（ａ）は上記使用状態における口紅テスターの縦断面図、（ｂ）はそのＡ−Ａ′断面図、（ｃ）はそのＢ矢視図である。
【図４】本発明の他の実施の形態における使用状態の説明図である。
【図５】（ａ）は上記使用状態における口紅テスターの縦断面図、（ｂ）はそのＣ−Ｃ′断面図である。
【図６】（ａ）は上記使用状態において、レフィルを嵌入した状態の縦断面図、（ｂ）はその底面図である。
【図７】本発明のさらに他の実施の形態における使用状態の説明図である。
【図８】口紅テスターの陳列形態の説明図である。
【図９】従来の盗難防止装置の一例を示す説明図である。
【図１０】本発明の他の実施の形態を示す斜視図である。
【符号の説明】
【００４３】
２０  盗難防止部材
２１  底面部
２２，２３  延長部
２５  穴
【図１】
2010115247.tif 000003
【図２】
2010115247.tif 000004
【図３】
2010115247.tif 000005
【図４】
2010115247.tif 000006
【図５】
2010115247.tif 000007
【図６】
2010115247.tif 000008
【図７】
2010115247.tif 000009
【図８】
2010115247.tif 000010
【図９】
2010115247.tif 000011
【図１０】
2010115247.tif 000012